(57)【要約】【課題】高線量率環境下におけるホットスポットの特定と定量化、装置の小型軽量化を実現できる放射能可視化装置を提供する。【解決手段】一方面が開口部を介して放射線を照射され、他方面が複数の光ファイバの端面側に配置され、複数の光ファイバから受けた刺激光に応じてＯＳＬ光を前記複数の光ファイバに送出する面状のＯＳＬ素子を収納した放射線検出部と、刺激光を発生させる光源と、複数の光ファイバからのＯＳＬ光を受光し電気信号に変換する光検出器と、光源からの刺激光を複数の光ファイバを介して面状のＯＳＬ素子に与え、面状のＯＳＬ素子からのＯＳＬ光を光検出器に振り向ける光分割装置と、光検出器の電気出力から積算線量を解析し、光源を制御する制御解析装置と、制御解析装置で得られた解析結果を表示する表示装置とを備え、表示装置に放射線検出部の開口部で限定される測定対象領域の放射線分布を表示する。【選択図】図１
2014081288.tif 000002
【特許請求の範囲】
【請求項１】
一方面が開口部を介して放射線を照射され、他方面が複数の光ファイバの端面側に配置され、前記複数の光ファイバから受けた刺激光に応じてＯＳＬ光を前記複数の光ファイバに送出する面状のＯＳＬ素子を収納した放射線検出部と、前記刺激光を発生させる光源と、前記複数の光ファイバからのＯＳＬ光を受光し電気信号に変換する光検出器と、前記光源からの刺激光を前記複数の光ファイバを介して前記面状のＯＳＬ素子に与え、前記面状のＯＳＬ素子からのＯＳＬ光を前記光検出器に振り向ける光分割装置と、前記光検出器の電気出力から積算線量を解析し、前記光源を制御する制御解析装置と、該制御解析装置で得られた解析結果を表示する表示装置とを備え、該表示装置に前記放射線検出部の開口部で限定される測定対象領域の放射線分布を表示することを特徴とする放射能可視化装置。
【請求項２】
請求項１に記載の放射能可視化装置において、
前記光分割装置は、前記光源からの刺激光を前記複数の光ファイバに同時に与え、前記複数の光ファイバからのＯＳＬ光を前記光検出器に同時に与えることを特徴とする放射能可視化装置。
【請求項３】
請求項１又は請求項２に記載の放射能可視化装置において、
前記光分割装置は、前記複数の光ファイバの先端から放射される光を平行光にする光ファイバ用光学レンズと、前記光源からの刺激光もしくはＯＳＬ光を反射し、ＯＳＬ光もしくは光源からの刺激光を透過するビームスプリッタと、前記光源からの刺激光を平行光にする光源用光学レンズと、前記ビームスプリッタを介したＯＳＬ光を収束するＯＳＬ光収束用光学レンズとを備え、前記光検出器として収束したＯＳＬ光を計測するＣＣＤ検出器を備えることを特徴とする放射能可視化装置。
【請求項４】
請求項１に記載の放射能可視化装置において、
前記光分割装置は、前記光源からの刺激光を前記複数の光ファイバの個々に順次所定順番に従って与え、前記複数の光ファイバの個々からのＯＳＬ光を前記所定順番に従って前記光検出器に与えることを特徴とする放射能可視化装置。
【請求項５】
請求項４に記載の放射能可視化装置において、
前記光分割装置は、各光ファイバを１本の光ファイバに機械的に接続可能な光スイッチと、該光スイッチの１本の光ファイバと前記光源と前記光検出器とを光ファイバで接続する光カプラを備えることを特徴とする放射能可視化装置。
【請求項６】
請求項１から請求項５のいずれか１項に記載の放射能可視化装置において、
前記表示装置には、前記放射線検出部の開口部で限定される測定対象領域の放射線分布が、当該測定対象領域の背景情報とともに表示されていることを特徴とする放射能可視化装置。
【請求項７】
請求項６に記載の放射能可視化装置において、
前記測定対象領域の背景情報が工学カメラにより得られた画像情報であることを特徴とする放射能可視化装置。
【請求項８】
請求項１から請求項７のいずれか１項に記載の放射能可視化装置において、
前記面状のＯＳＬ素子は、単一のＯＳＬ素子と該単一のＯＳＬ素子の他方面に配置された複数の光ファイバにより組体を構成し、当該組体が同一面上に複数備えられて構成されていることを特徴とする放射能可視化装置。
【請求項９】
請求項８に記載の放射能可視化装置において、
前記単一のＯＳＬ素子と各光ファイバとの間に、光ファイバから放射する刺激光を任意のＯＳＬ素子面積に対して平行光にする検出面積拡大用光学レンズを設けることを特徴とする放射能可視化装置。
【請求項１０】
請求項１から請求項９のいずれか１項に記載の放射能可視化装置において、
複数の光ファイバは、２本以上の光ファイバをバンドルファイバとされたものであることを特徴とする放射能可視化装置。
【請求項１１】
請求項１から請求項１０のいずれか１項に記載の放射能可視化装置において、
前記ＯＳＬ素子の開口部側の前記一方面に、中性子に対して感度が高いリチウム、ホウ素、ロジウム、カドミウム、インジウム、サマリウム、ユーロピウム、ガドリニウム、ジスプロシウム、ハフニウム、エルビウム、ツリウム、水銀等を、中性子反応材として塗布もしくは混入することを特徴とする放射能可視化装置。
【請求項１２】
請求項１から請求項１１のいずれか１項に記載の放射能可視化装置において、
前記放射線検出部は、コリメータ付遮蔽体で構成され、コリメータ付遮蔽体のコリメータ断面部分に遮光機能を有するベリリウム、アルミニウム等のβ線検出用薄膜を備えることを特徴とする放射能可視化装置。
【請求項１３】
請求項１から請求項１２のいずれか１項に記載の放射能可視化装置において、
前記放射線検出部は、コリメータ付遮蔽体で構成され、コリメータ付遮蔽体のコリメータ断面部分に遮光機能を有する有機化合物のβ線検出用薄膜を備えることを特徴とする放射能可視化装置。
【請求項１４】
請求項１から請求項１３のいずれか１項に記載の放射能可視化装置において、
前記ＯＳＬ素子として、BaFBr:Eu、BaFBrI:Eu、Al2O3:C、BaFl:Eu、NaCl:Cu、KCl:Eu、KBr:Eu、RbBr:Tl、SrS:Eu,Sm、CsS:Eu,Sm、CaS:Ce,Sm、MgS:Eu,Sm、MgS:Ce,Sm、MgO:Fe、Zn2SiO4:Mn、Ba6(PO4)3O:Eu、25Na2O、75B2O3:Eu等を備えることを特徴とする放射能可視化装置。
【請求項１５】
請求項１から請求項１４のいずれか１項に記載の放射能可視化装置において、
前記放射線検出部は、コリメータ付遮蔽体で構成され、コリメータ付遮蔽体はピンホールコリメータ、もしくはパラレルホールコリメータ、もしくはファンビームコリメータを備え、前記コリメータの中心軸が前記ＯＳＬ素子から成る検出面のほぼ中心に配置されることを特徴とする放射能可視化装置。
【請求項１６】
請求項１から請求項１５のいずれか１項に記載の放射能可視化装置において、
前記放射線検出部は、等方的に均一な放射線量が存在する場において使用されるためにコリメータ付遮蔽体で構成され、該コリメータ付遮蔽体は、そのコリメータを介して入射する放射線に由来する放射線量率（Ｓ）と、コリメータ以外の遮蔽部分を透過して入射する放射線に由来する放射線量率（Ｎ）との割合（Ｓ／Ｎ）が１０／１以上である遮蔽厚を有することを特徴とする放射能可視化装置。
【発明の詳細な説明】
【技術分野】
【０００１】
本発明は、光刺激ルミネセンス線量計ＯＳＬ(Optically Simulated Luminescence)から放射されるＯＳＬ光を利用して測定対象の放射能分布を可視化する放射能可視化装置に関する。
【背景技術】
【０００２】
原子炉施設や医療用施設等の放射性物質及び放射線発生装置を取り扱う施設においては、放射性物質の漏えい及び飛散箇所の可視化や、漏えい量及び飛散量の定量化が求められている。
【０００３】
放射性物質から放射される放射線を計測する放射線検出器として、電離箱、ＧＭ（ガイガーミュラー）計数管、シンチレーション検出器、半導体検出器等の検出器がある。これらの検出器は、エリアモニタ、プロセスモニタ、サーベイメータ等の線量モニタとして広く利用されている。
【０００４】
また、蛍光ガラス線量計、熱ルミネセンス線量計ＴＬＤ(Thermoluminescent Dosimeter)、光刺激ルミネセンス線量計ＯＳＬが，個人被ばく管理やイメージングプレートとして利用されている。
【０００５】
上記の線量モニタ、個人線量計およびイメージングプレートは、原子力施設、放射性同位元素を使用する医療施設、研究用加速器施設等で主に利用されている。これらの放射線検出器は、単一では放射性物質の漏えい箇所を分布として検知できる機能はない。このため、ホットスポットなどの局所的に放射性物質が集まっている箇所等を特定することができず、このままでは可視化に貢献しえない。
【０００６】
これに対し放射能分布を可視化できる装置として、医療用装置ではガンマカメラが知られている。また医療以外の応用例として、原子炉施設やその周辺環境におけるホットスポットを特定するためのガンマカメラがある。これは例えば光学カメラと組合せることで、放射能漏えい箇所等を視覚的に特定することができるので、ホットスポットを容易に判断できる。
【０００７】
これらのガンマカメラで使用される放射線検出器は、半導体検出器のSi、CdTe、CZT等や、シンチレーション検出器のNaI:Tl、CsI:Tl、LSO、GSO、BGO等である。これらの検出器における放射能強度の計測方法は、検出した光子を計数する方式が主である。そのため、放射線検出部における線量率が１００μSv/h（マイクロシーベルト/時間）以上になる場合、計数のパイルアップが発生しやすくなり、高精度の計測が困難である。
【０００８】
なお、本明細書での説明において例えばシンチレーション検出器の「NaI:Tl」について、「NaI:Tl」の表記は左側の母材NaIに添加物としてTlを加えた結晶であることを意味している。この表記約束は以下の説明でも同じである。
【０００９】
したがって、原子力施設の原子炉格納容器や加速器駆動エリア等の高線量率エリアにおいてホットスポットを特定、定量的に検知するには、放射線検出部における線量率を十分下げる必要がある。そのため、鉛やタングステンによる遮蔽体を用いるが、装置が重くなり、その取り扱いは困難となる。
【００１０】
半導体検出器の読出し回路は電気ノイズの影響を低減するため、放射線検出器に極めて近い箇所に設けられる。シンチレーション検出器の読出しは光検出器を用いて実施される。光検出器としては光電子増倍管やSiフォトダイオード、アバランシェフォトダイオード等が用いられる。光検出器はシンチレーション検出器と光学接着する必要があるため、見かけ上はシンチレータと一体となる。
【００１１】
したがって、これらの放射線検出器を用いる場合、放射線を検知するセンサ部分は小型であっても、後段の回路系も含めるとその体積が大きくなるため、遮蔽体を含めた装置が重くなり、その取り扱いが困難となる。
【００１２】
装置重量を軽減し、取扱いが容易な放射能可視化装置を実現するには、高線量率環境での動作時に発生頻度が大きくなる計数のパイルアップを抑制する手段と、放射線検出部を小型化する手段を両立する必要がある。
【００１３】
数mSv/h以上の高線量率でも容易に動作する放射線検出器として電離箱があるが、電離発生部分の体積が大きく、小型化には不向きである。そこで、高線量率での動作と放射線検出部の小型化が両立できる放射線検出器として、積算線量を測定対象とする光刺激ルミネセンス素子の利用が考えられる。
【００１４】
ここで、本発明で採用する光刺激ルミネセンスによる放射線量の測定について概説しておく。ある種の物質（例えば、酸化アルミニウム）に放射線を照射した後、可視光より長い波長を照射すると発光する場合がある。光刺激ルミネッセンス線量計は、このような発光現象を利用しており、発光量は物質が受けた放射線量と発光を誘導するために照射した光の量に関係している。
【００１５】
係る光刺激ルミネセンス素子を利用する具体的な検出手法として以下のものが知られている。特許文献１は、光刺激ルミネセンス素子を２本の光ファイバの先端に接続し、任意のタイミングでレーザ光源による刺激光を、光ファイバを介して照射することで、光刺激ルミネセンス素子由来のシンチレーション光を発生させ、もう一方の光ファイバを介して後段の光検出器でその光を計測するものである。
【００１６】
特許文献２は、測定対象である試料を光刺激ルミネセンス素子で構成されるイメージングプレートに接触させることで２次元放射能分布を計測し、バックグラウンドを決定するしきい値を計測箇所以外の所定箇所から導出するものである。
【先行技術文献】
【特許文献】
【００１７】
【特許文献１】特開平11-237479号公報
【特許文献２】特開2012-13498号公報
【発明の概要】
【発明が解決しようとする課題】
【００１８】
装置重量が小さく、取扱いが容易な放射能可視化装置を実現するには、高線量率環境での動作時に発生頻度が大きくなる計数のパイルアップを抑制する手段と、放射線検出部を小型化する手段が必要である。
【００１９】
特許文献１では、光刺激ルミネセンス素子の結晶を設けた光ファイバを複数設け、それらの放射線計測位置情報に基づき放射線分布を演算する装置とその表示装置を設けるとしている。光刺激ルミネセンス素子を利用することで、ダイナミックレンジ上限の向上が期待できる。
【００２０】
しかしながら、特許文献１における放射線分布演算方法は、広い範囲に複数の放射線検出部を設置する必要があることと、各放射線検出部ではその位置における雰囲気線量率を計測していることから、特許文献１における装置及びその方法では、高線量率環境下で狭い範囲に存在するホットスポットを検知するには不向きである。
【００２１】
また特許文献１には、ホットスポットを検知するために不可欠なコリメータ及び遮蔽体に関する記載がない。特許文献１において複数の放射線検出部を集約し、コリメータを備えた遮蔽体内に設置させることも考えられる。この場合１つの光刺激ルミネセンス素子ＯＳＬに１つの光ファイバを接続するには、ＦＣコネクタ等の一般的なコネクタが必要であるが、これらの一般的な光ファイバコネクタは光刺激ルミネセンス素子と比較して十分大きいため、放射線検出部の小型化は困難である。
【００２２】
特許文献２では、バックグラウンドを決定するしきい値を計測箇所以外の所定箇所から導出するとしている。しかしながら、特許文献２で本手法が適用できるのは線源位置が大凡把握できているためであって、線源位置が不明であるホットスポットを検知する方式としては不向きである。なお特許文献２にもホットスポットを検知するためのコリメータ及び遮蔽体に関する記載がない。
【００２３】
以上の課題を整理すると、高線量率環境での動作時に発生頻度が大きくなる計数のパイルアップを抑制する手段と、放射線検出部を小型化する手段を両立できれば、高線量率環境下におけるホットスポットの特定と定量化、装置の小型軽量化を実現できることになる。
【００２４】
以上のことから本発明の目的は、上述する課題を解決するための放射能可視化装置を提供することにある。
【課題を解決するための手段】
【００２５】
以上の課題を解決すべく、本発明においては、一方面が開口部を介して放射線を照射され、他方面が複数の光ファイバの端面側に配置され、複数の光ファイバから受けた刺激光に応じてＯＳＬ光を複数の光ファイバに送出する面状のＯＳＬ素子を収納した放射線検出部と、刺激光を発生させる光源と、複数の光ファイバからのＯＳＬ光を受光し電気信号に変換する光検出器と、光源からの刺激光を複数の光ファイバを介して面状のＯＳＬ素子に与え、面状のＯＳＬ素子からのＯＳＬ光を光検出器に振り向ける光分割装置と、光検出器の電気出力から積算線量を解析し、光源を制御する制御解析装置と、制御解析装置で得られた解析結果を表示する表示装置とを備え、表示装置に放射線検出部の開口部で限定される測定対象領域の放射線分布を表示する。
【発明の効果】
【００２６】
本発明によれば、高線量率環境下におけるホットスポットの特定と定量化、装置の小型軽量化を実現できる放射能可視化装置を提供することができる。なお、各実施例における個別の効果は別途説明される。
【図面の簡単な説明】
【００２７】
【図１】本発明の実施例１の放射能可視化装置の概略構成を示す図。
【図２】実施例１の放射線検出部の断面図。
【図３】実施例１の放射線検出部の側面図。
【図４】実施例１のコリメータ付遮蔽体の側面図。
【図５】実施例１の光分割装置の構成を示す図。
【図６】工学カメラを併用した放射能可視化装置の概略構成を示す図。
【図７】実施例１の表示装置の画面に表示された画面例の図。
【図８】実施例２の放射能可視化装置の概略構成を示す図。
【図９】実施例２の放射線検出部の断面図。
【図１０】実施例３の放射線検出部の側面図。
【図１１】実施例４の光分割装置の構成を示す図。
【図１２】実施例５のバンドル型光ファイバの構成を示す図。
【図１３】実施例６の放射線検出部の側面図。
【図１４】実施例７のコリメータ付遮蔽体の側面図。
【図１５】実施例８のコリメータ付遮蔽体の側面図。
【図１６】図１の放射能可視化装置を用いるときの各部状態量の時系列的変化を示す図。
【図１７】図１１の放射能可視化装置を用いるときの各部状態量の時系列的変化を示す図。
【発明を実施するための形態】
【００２８】
本発明者らは、高線量率環境での動作時に発生頻度が大きくなる計数のパイルアップを抑制する手段と放射線検出部を小型化する手段を両立でき、高線量率環境下におけるホットスポットの特定と定量化、装置軽量化を実現できる放射能可視化装置について、種々検討した。本発明は、これにより得られた新たな知見に基づいてなされたものである。
【００２９】
この新たな知見では、積算線量を測定する光刺激ルミネセンス素子を適用することで、従来のガンマカメラで使用される放射線検出器で回避できない計数のパイルアップによる測定精度の劣化を回避できる。
【００３０】
また光刺激ルミネセンス素子が有する積算線量ダイナミックレンジ上限に達する前に、光源からの刺激光を光刺激ルミネセンス素子に照射し積算線量情報の読出しと積算線量情報の消去を実施すれば、線量率上限は容易に数Ｓｖ／ｈ以上となる。これにより、従来放射線検出器と比較して非常に高くなり、遮蔽体を薄くすることができる。
【００３１】
さらに１つの面状の光刺激ルミネセンス素子に対して２本以上の光ファイバを配置することで、１つの積算線量情報を読み出す検出面積を光ファイバ径まで集約することで放射線検出部を小型化できる。
【００３２】
これらのことから、高線量率環境でのホットスポットの特定と定量化と装置軽量化を実現できる、というものである。
【００３３】
以下、本発明に係る放射能可視化装置の好適な実施例を、図面を参照して、新たな知見の内容を具体的に説明する。
【実施例１】
【００３４】
本発明の好適な一実施例である実施例１の放射能可視化装置を、図１から図７を用いて説明する。
【００３５】
図１に放射能可視化装置の概略構成図を示す。実施例１の放射能可視化装置は、光刺激ルミネセンス素子（以下ＯＳＬ素子と略称する）１、光ファイバ２、光分割装置３、光源４、光検出器５、制御解析装置６、表示装置７、コリメータ付遮蔽体８から構成される。コリメータ付遮蔽体８の内部には、ＯＳＬ素子１と光ファイバ２の端面２Ａが収納される放射線検出部９を備える。
【００３６】
ＯＳＬ素子１は、光ファイバ２の一方の端面２Ａと光学的に接続される。また光ファイバ２のもう一方の端面２Ｂは光分割装置３に接続され、光分割装置３を介して光源４及び光検出器５に接続される。光検出器５は制御解析装置６に接続され、さらに制御解析装置６は表示装置７に接続される。
【００３７】
本発明に適用可能なＯＳＬ素子１を構成する材料（結晶）の一例を挙げる。代表的なＯＳＬ素子の材料としては、イメージングプレートで使用されるBaFBr:Eu、個人線量計として使用されているAl2O3:Cがある。他のOSL素子としてBaFl:Eu、NaCl:Cu、KCl:Eu、KBr:Eu、RbBr:Tl、SrS:Eu,Sm、CsS:Eu,Sm、CaS:Ce,Sm、MgS:Eu,Sm、MgS:Ce,Sm、MgO:Fe、Zn2SiO4:Mn、Ba6(PO4)3O:Eu、25Na2O、75B2O3:Eu等が存在し、本発明にはいずれのＯＳＬ素子も適用可能である。
【００３８】
また本発明に適用可能な光ファイバ２の一例を挙げる。一般的に使用されている光検出器はシングルモード（ＳＭ）ファイバ及びマルチモード（ＭＭ）ファイバである。材質は石英、プラスティック等がある。本発明ではいずれの種類の光ファイバでも適用可能である。
【００３９】
図２に放射線検出部９の断面図を示す。また図３に放射線検出部９の側面図を示す。ここでは一例として、図２に特徴が表れているように、光ファイバ２を８×８に配列して光ファイバ束１０として使用しているが、光ファイバ２の配置はこれに限るものではない。また図３に特徴が表れているように、光ファイバ束１０の断面は、面状のＯＳＬ素子１から発生するＯＳＬ光を伝送するため、ＯＳＬ素子１に対してほぼ垂直に配置される。本実施例は一例であり、垂直からずれることでＯＳＬ光の検出感度が劣化する可能性があるが、垂直から外れることで本実施例が無効になることはない。ここでは一例として光ファイバ２の端面がＯＳＬ素子１と光学接着する構成を示す。ただし光ファイバ２の端面２ＡとＯＳＬ素子１の間には空気等によるギャップがあっても問題はない。
【００４０】
図４にコリメータ付遮蔽体８の側面図を示す。コリメータ付遮蔽体８の内部には放射線検出部収納容器１１が収納されている。また放射線検出部収納容器１１内にＯＳＬ素子１及び光ファイバ２の一部が収納されている。なお、ＯＳＬ素子１及び光ファイバ２は、コリメータ付遮蔽体８の開口部ＯＰに面して配置され、これによりＯＳＬ素子１はその面上に開口部ＯＰを介して放射線を感知する。そしてＯＳＬ素子１の背面に配置された光ファイバ２からの刺激光Ｌ１に感応して生じたＯＳＬ光Ｌ２を光ファイバ２に送出する。ＯＳＬ光Ｌ２は、光ファイバ２を介して光分割装置３に向かって送出される。
【００４１】
この図で明らかなように、面状のＯＳＬ素子１は一方面がコリメータ付遮蔽体８の開口部ＯＰに面して配置され、ＯＳＬ素子１の他方面が複数の光ファイバ２にの端面に対向して配置されている。そして一方面に開口部ＯＰを介して放射線を感知し、多方面に刺激光を受けてＯＳＬ光を放出する。
【００４２】
なお本実施例では一例として、ピンホールコリメータ１２を備える構成とした。また一例として、ＯＳＬ素子１の検出面中心部がコリメータ中心軸１３に対してほぼ重なる構成とした。ここでコリメータとして、上記したピンホールコリメータ１２の他にパラレルホールコリメータ、ファンビームコリメータがある。またピンホールコリメータ１２を円柱とする構成もある。これらコリメータの選定は測定条件によって最適化される。
【００４３】
図５に光分割装置３の構成図を示す。ここでは、光源４から発生する刺激光Ｌ１を、光源用光学レンズ１５を用いて拡大し、平行光とする。この平行光を、刺激光波長に対して反射性能を有するビームスプリッタ１８を用いて刺激光進行方向１９に反射させ、光ファイバ用光学レンズ１４を介して複数の光ファイバ２に収束させる。上記過程によって放射線検出部９に収納されているＯＳＬ素子１に各光ファイバ２から刺激光Ｌ１を供給できる。
【００４４】
逆に刺激光Ｌ１によって発生したＯＳＬ光Ｌ２は、光ファイバ２及び光ファイバ用光学レンズ１４を介して、平行光として光分割装置３内に放射される。光分割装置３内では、ＯＳＬ光波長に対して透過性能を有するビームスプリッタ１８を用いてＯＳＬ光進行方向２０にＯＳＬ光Ｌ２を伝送し、ＯＳＬ光収束用光学レンズ１６を用いて光検出器５であるＣＣＤ検出器１７に入射する。
【００４５】
なお本実施例は一例であるので、ビームスプリッタ１８において反射光をＯＳＬ光Ｌ２とし、透過光を光源４からの刺激光Ｌ１とする構成であってもよい。また光検出器５としてＣＣＤ検出器１７の他に、マルチチャンネル型の光電子増倍管、Si検出器、InGaAs検出器、アバランシェフォトダイオード（ＡＰＤ）等があり、いずれも適用可能である。また光源４は適用するＯＳＬ素子１の刺激光Ｌ１として適切な波長を供給する必要がある。光源４の種類は半導体レーザ、ガスレーザ、固体レーザ、金属レーザ、液体レーザがあり、刺激光として適切な波長を供給できればいずれでもよい。
【００４６】
このように図５に示す構成を用いることで、全ての光ファイバから伝送されるＯＳＬ光Ｌ２をほぼ同時に解析できる。図１６は、図１の放射能可視化装置を用いるときの各部状態量の時系列的変化を示す図である。
【００４７】
この図において、上部の１には、ＯＳＬ素子１の各部（１−１から１−６４）における放射線受光量の時系列変化を示している。ここでＯＳＬ素子各部とは、図２の８×８の光ファイバ２のそれぞれの端面２Ａが対向しているＯＳＬ素子部分を意味している。ＯＳＬ素子各部の放射線受光量は初期状態ｔ０において０であり、時間経過とともに累積していく。
【００４８】
制御解析装置６は適宜のタイミングｔ１で光源４に対して信号取り込み指令Ｓ１を与え、光源４はこれを受けて刺激光Ｌ１を発する。刺激光Ｌ１を受けたＯＳＬ素子１の各部（１−１から１−６４）は、その最新の放射線受光量の大きさを反映したＯＳＬ光Ｌ２を、対向する位置の８×８の光ファイバ２のそれぞれの端面２Ａに伝達し、光ファイバ２を介してＣＣＤ装置１７などの光検出器５に伝送する。なお刺激光Ｌ１を受けたＯＳＬ素子１は放射線受光量の大きさを０に戻す。
【００４９】
制御解析装置６は、ＯＳＬ光Ｌ２が光検出器５に伝送完了されたことを受けて、タイミングｔ２で光源４に対して信号取り込み停止指令Ｓ２を与え、光源４はこれを受けて刺激光Ｌ１を停止する。これにより、ＯＳＬ素子各部の放射線受光量は時刻ｔ２を初期状態として、再度時間経過とともに放射線を累積していく。
【００５０】
これによりＣＣＤ装置１７などの光検出器５には、放射線検出部９のコリメータで定まる視野角内の放射線累積量の分布情報が得られたことになる。これは、例えば視野角内のプラント部位の放射能分布を写真撮影したと同じ事である。本発明の放射能可視化装置ではこのようにして放射能分布を可視化する。
【００５１】
なおこの事例では、ＣＣＤ装置１７などの光検出器５から得られる情報にはプラント位置などの情報を含んでいない。この点について、放射線検出部９をプラント内の特定の場所に設置し、かつその視野角が予定されたものであるという前提においては、事前に得られたプラント位置情報（背景情報）と放射能分布の可視化情報を用いて、プラント内背景の配管などの上に各部の放射能分布を重ねて表示装置７に表示することで、作業員に理解しやすい形での情報提供を可能とする。なお、プラント位置などの背景情報としては、３ＤＣＡＤ情報の利用が有効である。
【００５２】
またより簡便にプラント位置などの背景情報を得るには、工学カメラと併用するのが良い。図６に工学カメラを併用した放射能可視化装置の概略図を示す。本構成は図１の構成に光学カメラ２１を加えたものである。光学カメラ２１は表示装置７に接続され、表示装置７は光学カメラ２１で得られた映像を表示する。ここで光学カメラ２１はコリメータ付遮蔽体８のコリメータが見込む測定対象を含む範囲（視野角範囲）を撮影する。
【００５３】
これにより、表示装置７の画面上には光学カメラ２１が検知する構造物などの背景画面に、ＯＳＬ光から得られた放射能分布の画像が重ね合わせ表示される。なお、この場合には工学カメラ２１の視野角と放射線検出部９のコリメータによる視野角が常に同じ範囲となるように、工学カメラ２１と放射線検出部９が連動して駆動されるのが良い。
【００５４】
図７に表示装置の画面に表示された画面例の図を示す。表示装置７の画面に表示する情報を得るために、制御解析装置６では、光検出器５の電気出力から積算線量を導出し、各光ファイバ２に対応した積算線量を導出する解析機能を備える。また積算時間を制御することで、積算時間内における平均線量率を導出できる。
【００５５】
積算線量は、光ファイバ束１０を構成する例えば８ｘ８の６４個の光ファイバ２ごとに算出される。また表示装置の画面には、８ｘ８の６４個の光ファイバ２の情報を面的に表示する。
【００５６】
図７の表示装置７では、制御解析装置６で得られた線量解析結果と光学カメラ２１で得られた映像を組み合わせて、モニタ映像２４として表示する。ここでは一例として、制御解析装置６で得られた８ｘ８の６４個の光ファイバ２における線量解析結果を、光ファイバ束１０の形状に対応した放射能分布２２として表示する。具体的には、放射能レベルや線量率などの強度を色の濃淡等で示す。
【００５７】
光学カメラ２１で得られた映像と組み合わせることで、例えば配管２３に存在する放射能分布を可視化する。図の例では、配管２３と組み合わせて表示することで、配管各部の放射能分布が色分けして表示されている。
【００５８】
以上の本実施例で備えるＯＳＬ素子１、光ファイバ２、光分割装置３、光源４、光検出器５、制御解析装置６、表示装置７、コリメータ付遮蔽体８を適用することで、高線量率環境でのホットスポットの特定と定量化と装置軽量化を両立でき、オンラインで放射能分布を可視化できるので、高精度の放射能可視化装置及びその方法が実現できる。
【実施例２】
【００５９】
本発明の他の実施例である実施例２の放射能可視化装置について説明する。実施例２では、単一のＯＳＬ素子と２本以上の光ファイバの組合せを複数備えることで、検出面の大面積化を実現する。
【００６０】
図８に実施例２の放射能可視化装置の概略構成図を示す。ここでは放射線検出部９に複数のＯＳＬ素子１を備え、それぞれのＯＳＬ素子１に対して２本以上の光ファイバ２を接続すること以外は実施例１と同等の構成である。
【００６１】
図９に放射線検出部９の断面図を示す。ここでは一例として、ＯＳＬ素子１を４ｘ４の１６個備え、かつ個々のＯＳＬ素子１に対して光ファイバ２を２×２の４本を配置して１つの組体とし、複数の組体を縦横に接続する構成を示す。なお本実施例は一例であるので光ファイバの本数及び配列はこれに限定されない。本実施例では、大面積化が困難なＯＳＬ素子を使用する場合に、ＯＳＬ素子と光ファイバ２の組体を複数組合せ、縦横に配列することで、大面積化の課題を解決するものである。したがって本実施例を適用することで、小型のＯＳＬ素子１を適用しても高感度及び高精度の放射能分布の可視化が実現できる。
【実施例３】
【００６２】
本発明の他の実施例である実施例３の放射能可視化装置について説明する。実施例３では放射線検出部９のＯＳＬ素子１と光ファイバ２の端面２Ａの間に、検出面積拡大用光学レンズを備えることで、光ファイバ径の面積より大きな検出面積を容易に確保するものである。
【００６３】
図１０に放射線検出部９の側面図を示す。ＯＳＬ素子１と光ファイバ２の端面２Ａの間に検出面積拡大用光学レンズ２５を備えること以外は実施例１と同じ構成である。検出面積拡大用光学レンズ２５を用いることで、光ファイバ２の断面積より大きなＯＳＬ素子１の見込み範囲を得ることができる。そのため、１つの光ファイバ２あたりのＯＳＬ素子１の見込み面積を拡大できるので、全体の検出面積を拡大することになる。したがって、本実施例を適用することで、放射能可視化装置の感度向上及び視野角向上が期待できる。
【実施例４】
【００６４】
本発明の他の実施例である実施例４の放射能可視化装置及びその方法について説明する。実施例４では、光分割装置３として光スイッチ及び光カプラを備えることで、容易かつ簡素に複数の光スイッチ切替えを制御するものである。
【００６５】
図１１に光分割装置３の構成図を示す。光ファイバ２は光スイッチ２６に接続される。光スイッチ２６は光カプラ２７と光学的に接続される。光カプラ２７は光源４及び光検出器５と光学的に接続される。光スイッチ２６における光ファイバ２の切替え制御は、電気信号を送信することで容易に可能である。光カプラ２７は機械的な操作が不要なので、外部ノイズに影響することなく安定して光を伝送できる。
【００６６】
光スイッチ２６の切替え制御と連携して、後段に備える制御解析装置６における線量解析を実施することで、オンラインで放射能分布を可視化できる。したがって、本実施例を適用することで、オンライン放射能分布表示機能を備えた放射能可視化装置が期待できる。
【００６７】
図１の実施例が写真撮影をしたものであるに対し、図１１の実施例は、動画撮影したものということができる。図１７は図１１の放射能可視化装置を用いるときの各部状態量の時系列的変化を示す図であり、この図を用いて動画撮影の概念を説明する。
【００６８】
この場合、制御解析装置６は所定の周期Δｔで光源４に対して信号取り込み指令Ｓ１を与え、光源４はこれを受けて刺激光Ｌ１を周期Δｔで発する。刺激光Ｌ１は、光スイッチ２６において順次各光ファイバ２に振り分けられる。例えば時刻ｔ１の刺激光Ｌ１は、光ファイバ２に振り分けられてＯＳＬ素子１−１に与えられ、次の時刻ｔ２の刺激光Ｌ１は、ＯＳＬ素子１−２に与えられ、最後に時刻ｔ６４の刺激光Ｌ１は、ＯＳＬ素子１−６４に与えられる。
【００６９】
これを受けて、光検出器５には順次ＯＳＬ素子１−１からのＯＳＬ光Ｌ２，ＯＳＬ素子１−２からのＯＳＬ光が伝達され、最後にＯＳＬ素子１−６４からのＯＳＬ光が伝達される。かつこれらの処理はサイクリックに継続して実施される。
【００７０】
図７の表示装置７には、時刻ｔ１の処理で得られたＯＳＬ光に基づいて８ｘ８の光ファイバマトリクスの左上の点が表示され、時刻ｔ２の処理で得られたＯＳＬ光に基づいて８ｘ８の光ファイバマトリクスの左上の２番目の点が表示され、時刻ｔ６４の処理で得られたＯＳＬ光に基づいて８ｘ８の光ファイバマトリクスの右下の点が表示される。そして次の周期Δｔでは再度８ｘ８の光ファイバマトリクスの左上の点が表示され、以後これを繰り返す。
【００７１】
この処理は、ＣＲＴモニタにおける走査線の操作処理と同じであり、これにより視野角内の状態が連続して表示可能となる。
【実施例５】
【００７２】
本発明の他の実施例である実施例５の放射能可視化装置について説明する。実施例５では２本以上の光ファイバ２をバンドルとして纏めることで、光ファイバにおける容量を最小化するものである。
【００７３】
図１２にバンドル型光ファイバの構成図を示す。使用する全ての光ファイバ２を光ファイババンドル２８としてケーブル化することで、光ファイバ２における容量を最小化できる。また光ファイバ２の取扱いが容易になる。したがって、本実施例を適用することで、放射線検出部を小型化でき、放射能可視化装置の軽量化が期待できる。
【実施例６】
【００７４】
本発明の他の実施例である実施例６の放射能可視化装置について説明する。実施例６では中性子に対して感度が高い材料をＯＳＬ素子に塗布もしくは混入させることで、中性子を放射する放射線源による放射能分布を測定するものである。
【００７５】
図１３に放射線検出部９の側面図を示す。ＯＳＬ素子１に中性子反応材２９を塗布する。ここで中性子反応材２９は中性子に対して感度が高いリチウム、ホウ素、ロジウム、カドミウム、インジウム、サマリウム、ユーロピウム、ガドリニウム、ジスプロシウム、ハフニウム、エルビウム、ツリウム、水銀等を適用する。
【００７６】
中性子との相互作用で発生したγ線、α線、プロトン、電子線等をＯＳＬ素子１で検知することで中性子の放射能分布を可視化する。本実施例では一例としてＯＳＬ素子１の表面に中性子反応材２９を塗布する構成としたが、ＯＳＬ素子１に中性子反応材２９を混入して中性子の放射能分布を可視化することもできる。
【００７７】
したがって、本実施例を適用することで、γ線環境下であっても中性子の放射能分布を可視化できる放射能可視化装置が期待できる。
【実施例７】
【００７８】
本発明の他の実施例である実施例７の放射能可視化装置について説明する。実施例７ではコリメータ付遮蔽体のコリメータ断面部分に遮光機能を有するβ線検出用薄膜３０を備えることで、β線を放射する放射線源による放射能分布を測定するものである。
【００７９】
図１４にコリメータ付遮蔽体の側面図を示す。β線検出用薄膜３０をＯＳＬ素子１の前面に設ける。ここで、β線検出用薄膜３０はベリリウム、アルミニウム等の金属薄膜、有機化合物の薄膜とし、透過力が小さいβ線を検出できる厚さを有する。またこれらは遮光性能を有する。ここで本実施例では一例として、β線検出用薄膜３０をＯＳＬ素子１の前面に設けたが、β線が入射するコリメータ内部の領域のいずれかにβ線検出用薄膜３０を設ければ良い。
【００８０】
したがって、本実施例を適用することで、γ線環境下であってもβ線の放射能分布を可視化できる放射能可視化装置が期待できる。
【実施例８】
【００８１】
本発明の他の実施例である実施例８の放射能可視化装置について説明する。実施例８では等方的に均一な放射線量が存在する場において、コリメータ付遮蔽体のコリメータを介して入射する放射線に由来する放射線量率（Ｓ）と、コリメータ以外の遮蔽部分を透過して入射する放射線に由来する放射線量率（Ｎ）との割合（Ｓ／Ｎ）を１０／１以上とする遮蔽厚を有するものとする。
【００８２】
図１５にコリメータ付遮蔽体の側面図を示す。ほとんどの測定環境では周辺に測定対象外に由来するバックグラウンドが存在する。高精度に放射能分布を可視化するには、バックグラウンドを効果的に低減する必要がある。等方的に均一な放射線量が存在する場において、コリメータ由来線量率３１（Ｓ）と遮蔽体透過線量率３２（Ｎ）の比をＳ／Ｎとする。
【００８３】
十分なＳ／Ｎを確保するには、Ｓ／Ｎが１０／１以上を実現する遮蔽厚３３の遮蔽体を設ける必要がある。遮蔽厚３３の一例として、バックグラウンドのγ線エネルギーがＣｓ−１３７による６６２ｋｅＶである場合、遮蔽厚３３を約２ｃｍとすることで線量率を約１桁下げることができるので、Ｓ／Ｎが１０／１以上を実現できる。
【００８４】
したがって、本実施例を適用することで、バックグラウンドによるノイズ成分に対して有意な線量情報に基づき放射能分布を測定でき、高精度の放射能可視化装置が期待できる。
【実施例９】
【００８５】
本発明の他の実施例である実施例９の放射能可視化装置及びその方法について、上記した実施例１から実施例８を適切に組合せることで、高線量率環境下においても遮蔽重量を低減し、高精度及び高感度の放射能分布の可視化を実現できる。
【００８６】
以上詳細に説明した本発明とその実施例の構成により、以下の効果を奏することができる。
【００８７】
まず、図１に本発明の基本的な構成を示しているように、「一方面が開口部を介して放射線を照射され、他方面が複数の光ファイバの端面側に配置され、複数の光ファイバから受けた刺激光に応じてＯＳＬ光を複数の光ファイバに送出する面状のＯＳＬ素子を収納した放射線検出部と、刺激光を発生させる光源と、複数の光ファイバからのＯＳＬ光を受光し電気信号に変換する光検出器と、光源からの刺激光を複数の光ファイバを介して面状のＯＳＬ素子に与え、面状のＯＳＬ素子からのＯＳＬ光を光検出器に振り向ける光分割装置と、光検出器の電気出力から積算線量を解析し、光源を制御する制御解析装置と、制御解析装置で得られた解析結果を表示する表示装置とを備え、表示装置に放射線検出部の開口部で限定される測定対象領域の放射線分布を表示する」ように構成することにより、以下の効果が得られる。
【００８８】
ＯＳＬ素子を適用して積算線量を測定するため、従来のガンマカメラで使用される放射線検出器では回避できない計数のパイルアップによる測定精度の劣化を回避することができる。またＯＳＬ素子が有する積算線量ダイナミックレンジ上限に達する前に、光源からの刺激光をＯＳＬ素子に照射し積算線量情報の読出しと積算線量情報の消去を実施すれば、線量率上限は容易に数Ｓｖ／ｈ以上となり、従来放射線検出器と比較して非常に高くなる。そのため、遮蔽体を薄くすることができ、放射能可視化装置の軽量化が実現できる。さらに１つの面状のＯＳＬ素子に対して２本以上の光ファイバを配置することで、１つの積算線量情報を読み出す検出面積を光ファイバ径まで集約することができ、放射線検出部の小型化による放射能可視化装置の軽量化が実現できる。したがって、高線量率環境でのホットスポットの特定と定量化と装置軽量化を両立できる放射能可視化装置が実現できる。
【００８９】
また図１６に各部状態量の時系列変化を示しているように、「光分割装置は、光源からの刺激光を複数の光ファイバに同時に与え、複数の光ファイバからのＯＳＬ光を光検出器に同時に与える」ことにより、あたかも写真撮影を行ったように放射能分布を可視化して得ることができる。
【００９０】
また図１６の光操作のためには、図５の光スプリッタを用いて「光分割装置は、複数の光ファイバの先端から放射される光を平行光にする光ファイバ用光学レンズと、光源からの刺激光もしくはＯＳＬ光を反射し、ＯＳＬ光もしくは光源からの刺激光を透過するビームスプリッタと、光源からの刺激光を平行光にする光源用光学レンズと、ビームスプリッタを介したＯＳＬ光を収束するＯＳＬ光収束用光学レンズとを備え、光検出器として収束したＯＳＬ光を計測するＣＣＤ検出器を備える」ように構成することで実現が可能である。
【００９１】
さらに図５の構成により、同時刻に全ての光ファイバに光源からの刺激光を照射でき、それに伴うＯＳＬ光を検出できる。したがって、光ファイバ毎の検出時間差がほぼ無視でき、その検出時間差による測定誤差を無視できる高精度の放射能可視化装置が期待できる。
【００９２】
また図１７に各部状態量の時系列変化を示しているように、「光分割装置は、光源からの刺激光を複数の光ファイバの個々に順次所定順番に従って与え、複数の光ファイバの個々からのＯＳＬ光を所定順番に従って光検出器に与える」ことにより、あたかも動画撮影を行ったように放射能分布を可視化して得ることができる。
【００９３】
また図１７の光操作のためには、図１１の光カプラを用いて「光分割装置は、各光ファイバを１本の光ファイバに機械的に接続可能な光スイッチと、光スイッチの１本の光ファイバと光源と光検出器とを光ファイバで接続する光カプラを備える」ように構成することで実現が可能である。
【００９４】
光スイッチ及び光カプラを備えることで、容易かつ簡素に複数の光スイッチ切替えを制御でき、安価で制御が容易な放射能可視化装置が期待できる。光スイッチの切り替えと連携して線量解析する制御解析装置と、その線量解析結果を放射能分布として表示する表示装置を備えることで、人間が視覚的に放射能分布を確認できるので、オンライン放射能分布表示機能を備えた放射能可視化装置が期待できる。
【００９５】
また図７に示すように「表示装置には、放射線検出部の開口部で限定される測定対象領域の放射線分布が、当該測定対象領域の背景情報とともに表示」されている。またさらに図６に示すように、「測定対象領域の背景情報が工学カメラにより得られた画像情報」である。
【００９６】
このことにより、光学カメラで得られた映像と、制御解析装置で得られた線量解析結果を重ね合わせることで、人間が視覚的に放射能分布を確認できるので、カメラ映像と合わせたオンライン放射能分布表示機能を備えた放射能可視化装置が期待できる。
【００９７】
また図８、図９に示すように、「面状のＯＳＬ素子は、単一のＯＳＬ素子と単一のＯＳＬ素子の他方面に配置された複数の光ファイバにより組体を構成し、当該組体が同一面上に複数備えられている」という構成を採用する。
【００９８】
このことにより、ＯＳＬ素子の大面積化が困難な場合であっても、複数の組合せを配列することによる検出面の大面積化を実現できる。したがって、小型ＯＳＬ素子であっても高感度及び高精度の放射能可視化装置が期待できる。
【００９９】
また、図１０に示すように「単一のＯＳＬ素子と各光ファイバとの間に、光ファイバから放射する刺激光を任意のＯＳＬ素子面積に対して平行光にする検出面積拡大用光学レンズを設ける」という構成を採用する。
【０１００】
検出面積拡大用光学レンズを設けることで、光ファイバ径の面積より大きな検出面積を容易に確保でき、放射能可視化装置の感度向上及び視野角向上が期待できる。
【０１０１】
また図１２に示したように、「複数の光ファイバは、２本以上の光ファイバをバンドルファイバとされた」ことで、光ファイバにおける容量を最小化でき、放射線検出部を小型化できるので、放射能可視化装置の軽量化が期待できる。
【０１０２】
また「ＯＳＬ素子の開口部側の前記一方面に、中性子に対して感度が高いリチウム、ホウ素、ロジウム、カドミウム、インジウム、サマリウム、ユーロピウム、ガドリニウム、ジスプロシウム、ハフニウム、エルビウム、ツリウム、水銀等を、中性子反応材として塗布もしくは混入する」ことで、中性子を検出できるので、中性子線を放射する放射線源による放射能分布を測定できる放射能可視化装置が期待できる。
【０１０３】
また「放射線検出部は、コリメータ付遮蔽体で構成され、コリメータ付遮蔽体のコリメータ断面部分に遮光機能を有するベリリウム、アルミニウム等のβ線検出用薄膜を備える」えることで、遮光を保ちつつ透過力が低いβ線を検出できるので、β線を放射する放射線源による放射能分布を測定できる放射能可視化装置が期待できる。
【０１０４】
また「放射線検出部は、コリメータ付遮蔽体で構成され、コリメータ付遮蔽体のコリメータ断面部分に遮光機能を有する有機化合物のβ線検出用薄膜を備える」ことで、遮光を保ちつつ透過力が低いβ線を検出できるので、β線を放射する放射線源による放射能分布を測定できる放射能可視化装置が期待できる。
【０１０５】
また「ＯＳＬ素子として、BaFBr:Eu、BaFBrI:Eu、Al2O3:C、BaFl:Eu、NaCl:Cu、KCl:Eu、KBr:Eu、RbBr:Tl、SrS:Eu,Sm、CsS:Eu,Sm、CaS:Ce,Sm、MgS:Eu,Sm、MgS:Ce,Sm、MgO:Fe、Zn2SiO4:Mn、Ba6(PO4)3O:Eu、25Na2O、75B2O3:Eu等を備える」ことで、積算線量に比例したＯＳＬ光を得ることができるので、高線量率環境下におけるホットスポットの特定と定量化を実現できる放射能可視化装置が期待できる。
【０１０６】
また「放射線検出部は、コリメータ付遮蔽体で構成され、コリメータ付遮蔽体はピンホールコリメータ、もしくはパラレルホールコリメータ、もしくはファンビームコリメータを備え、コリメータの中心軸が前記ＯＳＬ素子から成る検出面のほぼ中心に配置される」ように構成されたことにより、放射能分布を測定するための測定対象を限定でき、高精度の放射能可視化装置が期待できる。
【０１０７】
また図１５を用い実施例８として示しているように、「放射線検出部は、等方的に均一な放射線量が存在する場において使用されるためにコリメータ付遮蔽体で構成され、コリメータ付遮蔽体は、そのコリメータを介して入射する放射線に由来する放射線量率（Ｓ）と、コリメータ以外の遮蔽部分を透過して入射する放射線に由来する放射線量率（Ｎ）との割合（Ｓ／Ｎ）が１０／１以上である遮蔽厚を有する」ように構成されている。
【０１０８】
このように等方的に均一な放射線量が存在する場において、コリメータ付遮蔽体のコリメータを介して入射する放射線に由来する放射線量率（Ｓ）と、コリメータ以外の遮蔽部分を透過して入射する放射線に由来する放射線量率（Ｎ）との割合（Ｓ／Ｎ）が１０／１以上である遮蔽厚を有するコリメータ付遮蔽体を備えることで、バックグラウンドによるノイズ成分に対して有意な線量情報に基づき放射能分布を測定でき、高精度の放射能可視化装置が期待できる。
【符号の説明】
【０１０９】
１：ＯＳＬ素子
２：光ファイバ
３：光分割装置
４：光源
５：光検出器
６：制御解析装置
７：表示装置
８：コリメータ付遮蔽体
９：放射線検出部
１０：光ファイバ断面
１１：放射線検出部収納容器
１２：ピンホールコリメータ
１３：コリメータ中心軸
１４：光ファイバ用光学レンズ
１５：光源用光学レンズ
１６：ＯＳＬ光収束用光学レンズ
１７：ＣＣＤ検出器
１８：ビームスプリッタ
１９：刺激光進行方向
２０：ＯＳＬ光進行方向
２１：光学カメラ
２２：放射能分布
２３：配管
２４：モニタ映像
２５：検出面積拡大用光学レンズ
２６：光スイッチ
２７：光カプラ
２８：光ファイババンドル
２９：中性子反応材
３０：β線検出用薄膜
３１：コリメータ由来線量率
３２：遮蔽体透過線量率
３３：遮蔽厚
【図１】
2014081288.tif 000003
【図２】
2014081288.tif 000004
【図３】
2014081288.tif 000005
【図４】
2014081288.tif 000006
【図５】
2014081288.tif 000007
【図６】
2014081288.tif 000008
【図７】
2014081288.tif 000009
【図８】
2014081288.tif 000010
【図９】
2014081288.tif 000011
【図１０】
2014081288.tif 000012
【図１１】
2014081288.tif 000013
【図１２】
2014081288.tif 000014
【図１３】
2014081288.tif 000015
【図１４】
2014081288.tif 000016
【図１５】
2014081288.tif 000017
【図１６】
2014081288.tif 000018
【図１７】
2014081288.tif 000019